(57)【特許請求の範囲】
【請求項１】
コンテンツを送信するコンテンツ送信装置と、コンテンツを受信するコンテンツ受信装置とを備え、
前記コンテンツ送信装置が、
前記コンテンツ送信装置の設定項目に関する情報を前記コンテンツ受信装置に送信する設定項目送信手段と、
前記コンテンツ受信装置から設定指示を受信する設定指示受信手段と、
前記コンテンツ受信装置から受信した設定指示に含まれている設定項目に前記コンテンツ送信装置を設定する第１設定手段とを有し、
前記コンテンツ受信装置が、
前記コンテンツ送信装置から前記コンテンツ送信装置の設定項目に関する情報を受信する設定項目受信手段と、
前記コンテンツ送信装置の設定項目を示す領域と、前記コンテンツ受信装置の設定項目を示す領域とを含む設定画面を生成する設定画面生成手段と、
前記設定画面を表示装置に表示させる表示手段と、
ユーザ操作に応じて、前記コンテンツ送信装置の設定項目を示す領域において、設定項目を決定する指示が入力された場合、決定された設定項目の情報を含む設定指示を前記コンテンツ送信装置に送信する指示手段と、
ユーザ操作に応じて、前記コンテンツ受信装置の設定項目を示す領域において、設定項目を決定する指示が入力された場合、決定された設定項目に前記コンテンツ受信装置を設定する第２設定手段とを有する、コンテンツ送受信システム。
【請求項２】
前記設定項目送信手段が、現在設定されている設定項目に関する情報を前記コンテンツ受信装置にさらに送信し、
前記設定項目受信手段が、前記コンテンツ送信装置の現在設定されている設定項目に関する情報を前記コンテンツ送信装置からさらに受信し、
前記設定画面生成手段が、前記コンテンツ送信装置の現在設定されている設定項目が予め選択されている状態で前記設定画面を生成する、請求項１に記載のコンテンツ送受信システム。
【請求項３】
前記コンテンツ受信装置が、前記コンテンツ送信装置の設定項目と前記コンテンツ受信装置の設定項目との関連性に関する情報を管理する管理手段と、
前記設定画面において、前記コンテンツ送信装置の設定項目および前記コンテンツ受信装置の設定項目のどちらかが選択された場合に、選択された設定項目に関連する選択されていない方の機器の設定項目の有無を前記管理手段の管理内容に基づいて判断する判断手段とをさらに有し、
選択された設定項目に関連する選択されていない方の機器の設定項目が有ると判断された場合、前記設定画面生成手段が、選択された設定項目に関連する選択されていない方の機器の設定項目を自動的に選択して前記設定画面に表示されるように前記設定画面を生成する、請求項１または２に記載のコンテンツ送受信システム。
【請求項４】
請求項１〜３のいずれかに記載のコンテンツ送受信システムにおける前記コンテンツ受信装置であって、
前記コンテンツ送信装置から前記コンテンツ送信装置の設定項目に関する情報を受信する設定項目受信手段と、
前記コンテンツ送信装置の設定項目を示す領域と、前記コンテンツ受信装置の設定項目を示す領域とを含む設定画面を生成する設定画面生成手段と、
前記設定画面を表示装置に表示させる表示手段と、
ユーザ操作に応じて、前記コンテンツ送信装置の設定項目を示す領域において、設定項目を決定する指示が入力された場合、決定された設定項目の情報を含む設定指示を前記コンテンツ送信装置に送信する指示手段と、
ユーザ操作に応じて、前記コンテンツ受信装置の設定項目を示す領域において、設定項目を決定する指示が入力された場合、決定された設定項目に前記コンテンツ受信装置を設定する第２設定手段とを有する、コンテンツ受信装置。
【請求項５】
請求項４に記載のコンテンツ受信装置の各手段として、コンピュータを機能させるための、コンテンツ受信装置の動作プログラム。
【請求項６】
請求項１〜３のいずれかに記載のコンテンツ送受信システムにおける前記コンテンツ送信装置であって、
前記コンテンツ送信装置の設定項目に関する情報を前記コンテンツ受信装置に送信する設定項目送信手段と、
前記コンテンツ受信装置から設定指示を受信する設定指示受信手段と、
前記コンテンツ受信装置から受信した設定指示に含まれている設定項目に前記コンテンツ送信装置を設定する第１設定手段とを有する、コンテンツ送信装置。
【請求項７】
請求項６に記載のコンテンツ送信装置の各手段として、コンピュータを機能させるための、コンテンツ送信装置の動作プログラム。
【発明の詳細な説明】
【技術分野】
【０００１】
本発明は、コンテンツ送信装置とコンテンツ受信装置とを備えるコンテンツ送受信システムに関する。
【背景技術】
【０００２】
ソース機器（例えば、ＢＤ（ブルーレイディクス）プレーヤ）と、リピータ機器（例えば、ＡＶアンプ）と、シンク機器（例えば、ディスプレイ装置）とを備えるコンテンツ送受信システムが利用されている。ＢＤプレーヤは、ＢＤディスクに記録されているコンテンツを再生し、ＡＶアンプに送信する。ＡＶアンプは、コンテンツに含まれる音声データに音声処理を実行し、スピーカーから音声を出力する。ＡＶアンプは、映像データをディスプレイ装置に送信する。ディスプレイ装置は、ＡＶアンプから供給された映像データに映像処理を実行し、表示する。
【０００３】
ＢＤプレーヤは、ユーザ操作に基づいて、映像設定、音声設定および言語設定などのＢＤプレーヤの各種設定を実行する。同様に、ＡＶアンプは、ユーザ操作に基づいて、入力／出力設定、スピーカー設定、音声モード調整およびリスニングモード設定などのＡＶアンプの各種設定を実行する。ＢＤプレーヤの設定を実行する場合、ＢＤプレーヤが設定画面（ＯＳＤ画面）を生成し、生成された設定画面がＡＶアンプを介してディスプレイ装置に供給され、ディスプレイ装置に表示される。ＡＶアンプの設定を実行する場合、ＡＶアンプが設定画面（ＯＳＤ画面）を生成し、生成された設定画面がディスプレイ装置に供給され、ディスプレイ装置に表示される。以上のように、ＢＤプレーヤおよびＡＶアンプが個別に設定画面を生成しディスプレイ装置に設定画面を表示するので、ユーザ操作によってＢＤプレーヤおよびＡＶアンプの両方を個別に操作する必要があり、その操作が煩雑である。
【先行技術文献】
【特許文献】
【０００４】
【特許文献１】特開２００２−１０８３２６号公報
【特許文献２】特開２００５−１９１７８０号公報
【発明の概要】
【発明が解決しようとする課題】
【０００５】
本発明の目的は、コンテンツ送信装置およびコンテンツ受信装置のユーザ操作による設定操作を簡易化することができるコンテンツ送受信システムを提供することである。
【課題を解決するための手段】
【０００６】
本発明の好ましい実施形態によるコンテンツ送受信システムは、コンテンツを送信するコンテンツ送信装置と、コンテンツを受信するコンテンツ受信装置とを備え、前記コンテンツ送信装置が、前記コンテンツ送信装置の設定項目に関する情報を前記コンテンツ受信装置に送信する設定項目送信手段と、前記コンテンツ受信装置から設定指示を受信する設定指示受信手段と、前記コンテンツ受信装置から受信した設定指示に含まれている設定項目に前記コンテンツ送信装置を設定する第１設定手段とを有し、前記コンテンツ受信装置が、前記コンテンツ送信装置から前記コンテンツ送信装置の設定項目に関する情報を受信する設定項目受信手段と、前記コンテンツ送信装置の設定項目を示す領域と、前記コンテンツ受信装置の設定項目を示す領域とを含む設定画面を生成する設定画面生成手段と、前記設定画面を表示装置に表示させる表示手段と、ユーザ操作に応じて、前記コンテンツ送信装置の設定項目を示す領域において、設定項目を決定する指示が入力された場合、決定された設定項目の情報を含む設定指示を前記コンテンツ送信装置に送信する指示手段と、ユーザ操作に応じて、前記コンテンツ受信装置の設定項目を示す領域において、設定項目を決定する指示が入力された場合、決定された設定項目に前記コンテンツ受信装置を設定する第２設定手段とを有する。
【０００７】
コンテンツ送信装置は、コンテンツ送信装置の設定項目をコンテンツ受信装置に送信する。コンテンツ受信装置は、コンテンツ送信装置の設定項目と、コンテンツ受信装置の設定項目とを含む設定画面を生成し、ディスプレイ装置に表示させる。設定画面において、コンテンツ送信装置の設定項目を決定する指示が入力されると、コンテンツ受信装置は、コンテンツ送信装置に設定を変更するように指示する。設定画面において、コンテンツ受信装置の設定項目を決定する指示が入力されると、コンテンツ受信装置が、コンテンツ受信装置の設定を変更する。従って、ユーザ操作によって、コンテンツ送信装置とコンテンツ受信装置とを個別に操作する必要がないので、操作が容易である。
【０００８】
好ましい実施形態においては、前記設定項目送信手段が、現在設定されている設定項目に関する情報を前記コンテンツ受信装置にさらに送信し、前記設定項目受信手段が、前記コンテンツ送信装置の現在設定されている設定項目に関する情報を前記コンテンツ送信装置からさらに受信し、前記設定画面生成手段が、前記コンテンツ送信装置の現在設定されている設定項目が予め選択されている状態で前記設定画面を生成する。
【０００９】
好ましい実施形態においては、前記コンテンツ受信装置が、前記コンテンツ送信装置の設定項目と前記コンテンツ受信装置の設定項目との関連性に関する情報を管理する管理手段と、  前記設定画面において、前記コンテンツ送信装置の設定項目および前記コンテンツ受信装置の設定項目のどちらかが選択された場合に、選択された設定項目に関連する選択されていない方の機器の設定項目の有無を前記管理手段の管理内容に基づいて判断する判断手段とをさらに有し、選択された設定項目に関連する選択されていない方の機器の設定項目が有ると判断された場合、前記設定画面生成手段が、選択された設定項目に関連する選択されていない方の機器の設定項目を自動的に選択して前記設定画面に表示されるように前記設定画面を生成する。
【発明の効果】
【００１０】
コンテンツ送信装置およびコンテンツ受信装置のユーザ操作による設定操作を簡易化することができるコンテンツ送受信システムを提供することができる。
【図面の簡単な説明】
【００１１】
【図１】ＡＶアンプ２０およびＢＤプレーヤ１０等を示すブロック図である。
【図２】ＢＤプレーヤ１０の設定項目を示す一覧である。
【図３】設定画面を示す図である。
【図４】ＡＶアンプ２０とＢＤプレーヤ１０の処理を示すフローチャートである。
【図５】ＡＶアンプ２０とＢＤプレーヤ１０の処理を示すフローチャートである。
【図６】ＡＶアンプ２０とＢＤプレーヤ１０の処理を示すフローチャートである。
【図７】設定画面を示す図である。
【発明を実施するための形態】
【００１２】
以下、本発明の好ましい実施形態について、図面を参照して具体的に説明するが、本発明はこれらの実施形態には限定されない。本実施形態において、コンテンツは、映像（画像も含む、以下同様。）データおよび／または音声データ等である。
【００１３】
図１に示すように、ＡＶアンプ（コンテンツ受信装置、リピータ機器）２０の入力側には１又は複数のコンテンツ送信装置（ソース機器、本例ではＢＤ（ブルーレイディスク）プレーヤ１０）が接続可能である。ＡＶアンプ２０の出力側には、コンテンツ受信装置（シンク機器、本例ではディスプレイ装置４０）が接続可能である。ＢＤプレーヤ１０、ＡＶアンプ２０及びディスプレイ装置４０は、例えばＨＤＭＩ規格に準拠しており、ＨＤＭＩケーブルを介して相互に接続されている。
【００１４】
[ＢＤプレーヤの構成]
ＢＤプレーヤ１０は、再生部１１と、ＨＤＭＩ送信部１２と、制御部１３と、メモリ１４と、操作部１５と、表示部１６と、ＨＤＭＩ出力端子１７とを概略備える。再生部１１は、挿入されたＢＤディスク（以下、単にディスクという。）から映像データおよび音声データを再生し、ＨＤＭＩ送信部１２に供給する。ＨＤＭＩ送信部１２は、再生部１１から供給された映像データおよび音声データからＨＤＭＩ規格のデータ（以下、ＨＤＭＩデータという。）を生成し、ＨＤＭＩ出力端子１７を介して、ＡＶアンプ２０に供給する。
【００１５】
制御部１３は、メモリ（ＲＯＭ、ＲＡＭ等）１４に格納されているＢＤプレーヤ１０の動作プログラムに基づいて、ＢＤプレーヤ１０の各部を制御するものであり、マイコンやＣＰＵ等である。
【００１６】
メモリ１４には、ＢＤプレーヤ１０の設定項目に関する情報や、現在設定されている設定項目の情報が記憶されている。制御部１３は、メモリ１４に記憶されているＢＤプレーヤ１０の設定項目に関する情報（および必要に応じて現在設定されている設定項目の情報）を、ＡＶアンプ２０の制御部２４に送信する。この情報は、ＨＤＭＩケーブルの高速通信チャネルであるＨＥＣ（HDMI Ethernet（登録商標） Channel）を介して送信されてもよく、ＣＥＣラインを介して送信されてもよい。または、ＨＤＭＩ以外の他の通信ラインを介して送信されてもよい。
【００１７】
図２は、ＢＤプレーヤ１０の設定項目を示す一覧である。例えば、設定項目は、「１．映像設定」、「２．音声設定」、「３．言語設定」に関する各設定項目を含む。図２に示す設定項目の各情報がＡＶアンプ１の制御部２４に供給される。また、図２の一覧において、最終階層（つまり、一番右側の階層）の各設定項目のうち、現在設定されている設定項目がＡＶアンプ１の制御部２４に供給される。例えば、「１．映像設定」の「ＴＶ画面形状」として「１６：９ワイド」が設定されている場合、現在設定されている設定項目として「１６：９ワイド」がＡＶアンプ１の制御部２４に供給される。
【００１８】
制御部１３は、ＡＶアンプ２０の制御部２４から設定変更指示を受信すると、受信した設定変更指示に含まれている設定項目に、ＢＤプレーヤ１０の設定を変更する。例えば、ＡＶアンプ２０から「１．映像設定」の「ＴＶ画面形状」として「４：３レターボックス」に変更する指示を受信した場合、制御部１３は、ＢＤプレーヤ１０の映像設定を「４：３レターボックス」に変更し、かつ、現在設定されている設定項目としてメモリ１４に記憶させる。
【００１９】
［ＡＶアンプの構成］
図１に示すように、ＡＶアンプ２０は、ＨＤＭＩ受信部２１と、ＨＤＭＩ送信部２２と、設定画面生成部２３と、制御部２４と、メモリ（ＲＯＭ、ＲＡＭ等）２５と、音声処理部２６と、操作部２７と、表示部２８と、ＨＤＭＩ入力端子２９Ａ〜２９Ｃと、ＨＤＭＩ出力端子３０とを概略備える。制御部２４は、メモリ２５に格納されているＡＶアンプの動作プログラムに基づいて、ＡＶアンプ２０の各部を制御するものであり、例えば、マイコンやＣＰＵ等である。
【００２０】
ＨＤＭＩ受信部２１は、ＨＤＭＩ入力端子２９Ａ〜２９Ｃの中から、ＨＤＭＩデータを受信すべきＨＤＭＩ入力端子を１つ選択する。つまり、ＨＤＭＩ受信部２１は、複数のコンテンツ送信装置の中から、コンテンツ送信元のコンテンツ送信装置を１つ選択する。ＨＤＭＩ受信部２１は、選択されているＨＤＭＩ入力端子２９からＨＤＭＩデータを受信し、受信したＨＤＭＩデータから元の映像データを生成し、ＨＤＭＩ送信部２２に供給する。また、ＨＤＭＩ受信部２１は、受信したＨＤＭＩデータから元の音声データを生成し、音声処理部２６に供給する。
【００２１】
ＨＤＭＩ受信部２１は、ＢＤプレーヤ１０の制御部１３から設定項目に関する情報（および現在設定されている設定項目の情報）を受信し、制御部２４に供給する。制御部２４は、ＢＤプレーヤ１０の設定項目に関する情報（および現在設定されている設定項目の情報）をメモリ２５に保存する。
【００２２】
制御部２４は、ＢＤプレーヤ１０から受信した設定項目に関する情報（および現在設定されている設定項目の情報）と、ＡＶアンプ２０の設定項目に関する情報（および現在設定されている設定項目の情報）とに基づいて、設定画面生成部２３に設定画面（ＯＳＤ画面）を生成させる。
【００２３】
図３（ａ）〜（ｃ）は、設定画面生成部２３によって生成される設定画面の一例を示す図である。設定画面は、ＡＶアンプ設定項目を示す領域５１と、ＢＤプレーヤ設定項目を示す領域５２と、ＡＶアンプ設定モードボタン５３と、ＢＤプレーヤ設定モードボタン５４とを含む。ＡＶアンプ設定項目を示す領域５１には、ＡＶアンプ２０の設定を実行するための設定項目の一覧が階層構造で表示される。ＢＤプレーヤ設定項目を示す領域５２には、ＢＤプレーヤ１０の設定を実行するための設定項目の一覧が階層構造で表示される。この表示内容は、ＢＤプレーヤ１０から受信した設定項目に関する情報に基づいて生成されている。
【００２４】
図３（ａ）は、ＢＤプレーヤ設定項目が図２において最上位の階層を示し、図３（ｂ）は、ＢＤプレーヤ設定項目が図２において２番目の階層を示し、図３（ｃ）は、ＢＤプレーヤ設定項目が図２において最下位の階層を示す。なお、図３（ｃ）において、ＢＤプレーヤ１０から受信した現在設定されている設定項目に予めカーソルが表示されており、選択されている状態で設定画面が生成されている。例えば、「４：３レターボックス」に設定されている場合には、「４：３レターボックス」に予めカーソルが表示される。従って、ユーザは、ＢＤプレーヤ１０に現在設定されている設定項目を知ることができる。
【００２５】
ＡＶアンプ設定モードボタン５３は、ＡＶアンプ設定モードに移行するためのボタンである。ＡＶアンプ設定モードは、ＡＶアンプ設定項目を示す領域５１を操作可能な（つまり、ＡＶアンプ２０の設定を変更可能な）状態である。ＢＤプレーヤ設定モードボタン５４は、ＢＤプレーヤ設定モードに移行するためのボタンである。ＢＤプレーヤ設定モードは、ＢＤプレーヤ設定項目を示す領域５２を操作可能な（つまり、ＢＤプレーヤ１０の設定を変更可能な）状態である。
【００２６】
図１に示すように、ＨＤＭＩ送信部２２は、ＨＤＭＩ受信部２１から供給された映像データをＨＤＭＩデータに変換する。ＨＤＭＩ送信部２２は、ＨＤＭＩ出力端子３０を介してディスプレイ装置４０にＨＤＭＩデータを送信する。また、ＨＤＭＩ送信部２２は、設定画面生成部２３から供給された設定画面をＨＤＭＩデータに変換し、ＨＤＭＩ出力端子３０を介してディスプレイ装置４０に送信する。なお、映像データの所定の位置に設定画面が重畳（合成）された状態で、ＨＤＭＩデータに変換され、ディスプレイ装置４０に送信されてもよい。
【００２７】
制御部２４は、ユーザ操作によって設定画面が操作され、設定項目を決定する指示が入力されたとき、ＡＶアンプ２０またはＢＤプレーヤ１０の設定を変更させる。つまり、制御部２４は、ＡＶアンプ設定モードで、ユーザ操作に応じてＡＶアンプ設定項目を示す領域において設定項目を決定する指示が入力された場合、決定された設定項目にＡＶアンプ２０の設定を変更する。制御部２４は、ＢＤプレーヤ設定モードで、ユーザ操作に応じてＢＤプレーヤ設定項目を示す領域において設定項目を決定する指示が入力された場合、決定された設定項目にＢＤプレーヤ１０の設定を変更する。
【００２８】
音声処理部２６は、ＨＤＭＩ受信部２１から供給された音声データに対して、例えば、信号処理、遅延処理、イコライザ処理、音量調整処理、増幅処理、ＤＡ変換等の音声処理を実行し、外部に接続されたスピーカー６０に音声信号を供給する。
【００２９】
操作部２７は、ユーザ操作を受け付けるものであり、ＡＶアンプ２０の筐体に設けられた操作ボタン、及び／又は、リモコン送受信機等である。操作部２５は、例えば、図３に示す設定画面を操作するために、カーソルキー（上下左右の各方向キー）、および、決定（エンター）キー等を含む。
【００３０】
以下、本実施形態の動作を説明する。図４、図５は、ＡＶアンプ２０の制御部２４の処理、および、ＢＤプレーヤ１０の制御部１３の処理を示すフローチャートである。図４に示すように、ＡＶアンプ２０の制御部２４は、ＨＤＭＩケーブルを介してＡＶアンプ２０に接続されている機器（例えばＢＤプレーヤ１０やディスプレイ装置４０等）の物理アドレスおよび論理アドレスを取得して確認し、接続されている機器の種別を判別する（Ｓ１０１）。制御部２４は、ＣＥＣラインを介して情報を取得することによって、ＡＶアンプ２０に接続されているＢＤプレーヤ１０が本発明の機能に対応可能であるか否かを判断する（Ｓ１０２）。対応可能でなければ（Ｓ１０２でＮＯ）、本実施形態の動作を実行することができないので、処理を終了する。対応可能であれば、ＡＶアンプ２０とＢＤプレーヤ１０との間でＢＤプレーヤ１０の設定項目の情報および設定変更指示を送受信するために、高速通信ポートであるＨＥＣを開放する（Ｓ１０３）。
【００３１】
ＢＤプレーヤ１０の制御部１３は、メモリ１４に記憶されているＢＤプレーヤ１０の設定項目に関する情報（図２参照）（および必要に応じて、現在設定されている設定項目に関する情報）を、ＡＶアンプ２０に送信する（Ｓ２０１）。ＡＶアンプ２０の制御部２４は、ＢＤプレーヤ１０の設定項目に関する情報（図２参照）（および必要に応じて、現在設定されている設定項目に関する情報）を受信し（Ｓ１０４）、メモリ２５に保存する（Ｓ１０５）。
【００３２】
図５に示すようにＡＶアンプ２０の制御部２４は、ユーザ操作によって設定画面を表示する指示が入力されたか否かを判断している（Ｓ１１１）。入力された場合（Ｓ１１１でＹＥＳ）、制御部２４は、設定画面生成部２３に、図３（ａ）に示すような設定画面を生成させる（Ｓ１１２）。この設定画面には、上記の通り、ＡＶアンプ設定項目を示す領域５１と、ＢＤプレーヤ設定項目を示す領域５２とを含む。つまり、メモリ２５に記憶されているＡＶアンプ２０の設定項目に関する情報うち、最上位階層の項目（例えば、１．入出力設定、２．スピーカー設定、３．音声モード調整、４．リスニングモード、・・・）が読み出されて、ＡＶアンプ設定項目を示す領域５１に含められる。また、メモリ２５に記憶されているＢＤプレーヤ１０の設定項目に関する情報うち、最上位階層の項目（１．映像、２．音声、３．言語、・・・）が読み出されて、ＢＤプレーヤ設定項目を示す領域５２に含められる。
【００３３】
制御部２４は、ＨＤＭＩ送信部２２に、設定画面生成部２３によって生成された設定画面をＨＤＭＩデータに変換させ、ＨＤＭＩ出力端子３０を介して、ディスプレイ装置４０に送信させる。その結果、図３に示す設定画面がディスプレイ装置４０に表示される。
【００３４】
制御部２４は、図３の設定画面において、ユーザ操作によって、ＡＶアンプ設定モードボタンが操作されたか否かを判断する（Ｓ１１４）。つまり、ＡＶアンプ設定モードに移行する指示が入力されたか否かを判断する。ＡＶアンプ設定モードボタンが操作されない場合（Ｓ１１４でＮＯ）、Ｓ１１６に進む。ＡＶアンプ設定モードボタンが操作された場合（Ｓ１１４でＹＥＳ）、制御部２４は、ＡＶアンプ設定モードに移行する（Ｓ１１５）。つまり、設定画面のＡＶアンプ設定項目を示す領域５１にカーソルが表示されるようになり、ＡＶアンプ２０の設定項目を選択または決定可能な状態になる。
【００３５】
制御部２４は、図３の設定画面において、ＢＤプレーヤ設定モードボタンが操作されたか否かを判断する（Ｓ１１６）。つまり、ＢＤプレーヤ設定モードに移行する指示が入力されたか否かを判断する。ＢＤプレーヤ設定モードボタンが操作されない場合（Ｓ１１６でＮＯ）、Ｓ１１８に進む。ＢＤプレーヤ設定モードボタンが操作された場合（Ｓ１１６でＹＥＳ）、制御部２４は、ＢＤプレーヤ設定モードに移行する（Ｓ１１７）。つまり、設定画面のＢＤプレーヤ設定項目を示す領域５２にカーソルが表示されるようになり、ＢＤプレーヤ１０の設定項目の選択又は決定が可能な状態になる。図３（ａ）〜（ｃ）は、ＢＤプレーヤ設定モードが選択された場合を示している。
【００３６】
制御部２４は、ユーザ操作によって、ＡＶアンプ設定項目を示す領域５１またはＢＤプレーヤ設定項目を示す領域５２において、カーソルを上下に移動する指示、又は、設定項目の階層を上下に移動する指示が入力されたか否かを判断する（Ｓ１１８）。カーソルを上下に移動する指示が入力された場合（Ｓ１１８でＹＥＳ）、制御部２４は、ＡＶアンプ設定項目を示す領域５１またはＢＤプレーヤ設定項目を示す領域５２において、カーソルの表示位置を上下に移動させる（Ｓ１１９）。また、設定項目の階層を上下に移動する指示が入力された場合（Ｓ１１８でＹＥＳ）、つまり、所望の設定項目にカーソルが表示されている状態で決定キーが操作された場合や戻るキーが操作された場合、ＡＶアンプ設定項目を示す領域５１またはＢＤプレーヤ設定項目を示す領域５２において、表示されている設定項目の階層を上下に移動させる（Ｓ１１９）。
【００３７】
例えば、図３（ａ）において、ＢＤプレーヤ設定項目を示す領域５２において、「１．映像」にカーソルが表示されている状態で、決定ボタンが操作されると、図３（ｂ）に示すように、「１．映像」の１つ下の階層の設定項目の各々が表示される。さらに、図３（ｂ）において、ＢＤプレーヤ設定項目を示す領域５２において、「ＴＶ画面形状」にカーソルが表示されている状態で、決定ボタンが操作されると、図３（ｃ）に示すように、「ＴＶ画面形状」の１つ下の階層の設定項目の各々が表示される。なお、図３（ｃ）において、現在ＢＤプレーヤ１０に設定されている設定項目が「４：３レターボックス」であれば、「４：３レターボックス」に予めカーソルが表示されており、現在ＢＤプレーヤ１０に設定されている設定項目が「１６：９ワイド」であれば、「１６：９ワイド」に予めカーソルが表示されている。
【００３８】
制御部２４は、ユーザ操作によって、ＡＶアンプ設定項目を示す領域５１またはＢＤプレーヤ設定項目を示す領域５２において、設定項目を決定する指示が入力されたか否かを判断する（Ｓ１２０）。つまり、最下位の階層の設定項目が表示され、所望の設定項目にカーソルが表示されている状態で、ユーザ操作によって決定ボタンが操作されたか否かが判断される。
【００３９】
設定項目を決定する指示が入力された場合（Ｓ１２０でＹＥＳ）、現在の設定モードがＡＶアンプ設定モードであるか否かを判断する（Ｓ１２１）。ＡＶアンプ設定モードであれば（Ｓ１２１でＹＥＳ）、制御部２４は、決定ボタンが操作された時点でカーソルが表示されていた設定項目にＡＶアンプ２０を設定する（Ｓ１２２）。
【００４０】
一方、ＡＶアンプ設定モードではなく、ＢＤプレーヤ設定モードであれば（Ｓ１２１でＮＯ）、制御部２４は、決定ボタンが操作された時点でカーソルが表示されていた設定項目に設定するように、ＢＤプレーヤ１０の制御部１３に設定項目を含む設定変更指示を送信する（Ｓ１２３）。
【００４１】
例えば、図３（ｃ）において、ＢＤプレーヤ設定項目を示す領域５２において、「４：３レターボックス」にカーソルが表示されている状態で、決定ボタンが操作されると、「４：３レターボックス」を示す情報を含む設定変更指示が、ＢＤプレーヤ１０の制御部１３に送信される。
【００４２】
ＢＤプレーヤ１０の制御部１３は、ＡＶアンプ２０の制御部２４から設定変更指示を受信したか否かを判断している（Ｓ２０２）。受信した場合（Ｓ２０２でＹＥＳ）、制御部１３は、受信した設定変更指示に含まれている設定項目の情報に基づいて、ＢＤプレーヤ１０の設定を変更する（Ｓ２０３）。例えば、「４：３レターボックス」を示す情報を含む設定変更指示を受信した場合、制御部１３は、「ＴＶ画面形状」を「４：３レターボックス」に設定変更する。
【００４３】
次に、本発明の別の好ましい実施形態を説明する。ＡＶアンプ２０のメモリ２５には、ＡＶアンプ２０の設定項目に関連性がある（類似する）ＢＤプレーヤ１０の設定項目に関する情報が予め記憶されている。例えば、ＡＶアンプ２０の設定項目に解像度が存在し、ＢＤプレーヤ１０の設定項目にも解像度が含まれる場合、これらは相互に関連性があることがメモリ２５内で管理されている。
【００４４】
図６は本例の処理を示すフローチャートであるが、図５と同じ処理には同一符号を付けている。カーソルを上下に移動する指示が入力された場合（Ｓ１１８でＹＥＳ）、制御部２４は、ＡＶアンプ設定項目を示す領域５１またはＢＤプレーヤ設定項目を示す領域５２において、カーソルの表示位置を上下に移動させる（Ｓ１１９）。設定項目の階層を上下に移動する指示が入力された場合（Ｓ１１８でＹＥＳ）、つまり、所望の設定項目にカーソルが表示されている状態で決定キーが操作された場合や戻るキーが操作された場合、ＡＶアンプ設定項目を示す領域５１またはＢＤプレーヤ設定項目を示す領域５２において、表示されている設定項目の階層を上下に移動させる（Ｓ１１９）。このとき、制御部２４は、設定モードになっていない方の機器の設定項目について、設定モードになっている方の機器の現在選択されている設定項目に関連性のある設定項目が存在するか否かを判断する（Ｓ１３１）。存在する場合（Ｓ１３１でＹＥＳ）、設定モードになっていない方の機器の設定項目を表示する領域において、当該関連性のある設定項目を自動的に選択して表示する（Ｓ１３２）。
【００４５】
例えば、図７（ｂ）に示すように、ＢＤプレーヤ設定モードのときに、ＢＤプレーヤ設定項目を示す領域５２のカーソルを「解像度」に移動させると、ＢＤプレーヤの設定項目「解像度」に関連性のあるＡＶアンプの設定項目の有無がメモリ２５の管理内容に基づいて判断される。関連性のあるＡＶアンプの設定項目として「解像度」が存在するので、ＡＶアンプ設定項目を示す領域５１において、「解像度」にカーソルが表示される。
【００４６】
そして、図７（ｃ）に示すように、ＢＤプレーヤ設定項目を示す領域５２の「解像度」にカーソルが表示されている状態で決定キーが操作されると、ＢＤプレーヤ設定項目を示す領域５２が１つ下の階層に移動し、「AUTO」、「480I」、「480P」、「720P」、「1080I」、「1080P」が表示される。このとき、ＡＶアンプ設定項目を示す領域５１において、「解像度」にカーソルが表示されている状態で自動的に決定キーが操作された状態となり、ＡＶアンプ設定項目を示す領域５１においても１つ下の階層に移動し、「AUTO」、「480I」、「480P」、「720P」、「1080I」、「1080P」が表示される。そして、ＡＶアンプで現在設定されている解像度（ここでは720P）が選択され、カーソルが表示された状態となる。従って、ＢＤプレーヤ１０の解像度を設定する際に、ＡＶアンプ２０に現在設定されている解像度の情報を確認した上で、設定することができる。
【００４７】
以上、本発明の好ましい実施形態を説明したが、本発明はこれらの実施形態には限定されない。例えば、ＨＤＭＩの代わりにＬＡＮ、ＵＳＢ、ＩＥＥＥ１３９４等の他の通信ラインが使用されてもよい。コンテンツ受信装置は、ＡＶアンプの代わりにディスプレイ装置が適用されてもよい。また、ＡＶアンプ２０をコンテンツ送信装置と定義し、ディスプレイ装置をコンテンツ受信装置と定義してもよい。また、ＡＶアンプ、ＢＤプレーヤの上記動作をコンピュータに実行させるためのプログラムおよびこれを記録した記録媒体という形態で提供されてもよい。また、ＡＶアンプ又はＢＤプレーヤの上記動作の一部のみのプログラムを、ＡＶアンプやＢＤプレーヤにファームウェアアップデートという形態で提供されてもよい。さらには、ＡＶアンプ又はＢＤプレーヤの上記動作の一部のみのプログラムが格納されたＨＤＭＩ送信部、ＨＤＭＩ受信部、システム制御部などの電子部品という形態で提供されてもよい。
【産業上の利用可能性】
【００４８】
本発明は、ＡＶアンプやＢＤプレーヤ等に好適に採用され得る。
【符号の説明】
【００４９】
１０          ＢＤプレーヤ
１１          再生部
１２          ＨＤＭＩ送信部
１３          制御部
１４          メモリ
１５          操作部
１６          表示部
１７          ＨＤＭＩ出力端子
２０          ＡＶアンプ
２１          ＨＤＭＩ受信部
２２          ＨＤＭＩ送信部
２３          設定画面生成部
２４          制御部
２５          メモリ
２６          音声処理部
２７          操作部
２８          表示部
２９Ａ、２９Ｂ、２９Ｃ      ＨＤＭＩ入力端子
３０          ＨＤＭＩ出力端子
【図１】
0005659867.tif 000002
【図２】
0005659867.tif 000003
【図３】
0005659867.tif 000004
【図４】
0005659867.tif 000005
【図５】
0005659867.tif 000006
【図６】
0005659867.tif 000007
【図７】
0005659867.tif 000008